(57)【要約】【課題】小型、薄型化に適し、かつメインシャフトやスクリューシャフトの平行度を確保出来、剛性や強度、ピックアップ搬送精度を保つことが出来るピックアップモジュールを提供することを目的とする。【解決手段】本発明のピックアップモジュールのフレーム部材は、光ディスクの載置外位置であってかつピックアップ５が最外位置に来た時に少なくともその一部の上面を覆う光ディスク載置外部を備えている。また、フレーム部材にはスピンドルモータ３が直接取り付けられ、その他の部材はスピンドルモータ３と逆方向から取り付けられる構造を有する。【選択図】図１
2007265560.tif 000002
【特許請求の範囲】
【請求項１】
光ディスクに対して半径方向に移動しながらデータの読み込みおよび書き込みを行うピックアップおよびそれを搬送するためのピックアップ搬送装置を有し、
前記ピックアップおよびピックアップ搬送装置を含む全ての構成部品を設置するためのフレーム部材を有し、
前記フレーム部材は光ディスクの載置外位置であってかつ前記ピックアップが最外位置に来た時に少なくともその上面の一部を覆う光ディスク載置外部を備えた
ピックアップモジュール。
【請求項２】
前記ピックアップ上面の一部にはレンズを除くレンズホルダ上面の一部が含まれる
請求項１に記載のピックアップモジュール。
【請求項３】
前記フレーム部材にはスピンドルモータが直接取り付けられ、
その他の部材は前記スピンドルモータと逆方向から取り付けられる構造を有する
請求項１に記載のピックアップモジュール。
【請求項４】
前記スピンドルモータは前記フレームのディスク載置側より取り付けられる構造を有する
請求項３に記載のピックアップモジュール。
【請求項５】
前記フレーム部材には前記ピックアップを支持および搬送するためのシャフト部材が配置され、
前記シャフト部材の両端には前記シャフト部材を保持するためのブラケットを有し、
前記シャフト部材の少なくとも一方の端部近傍には、前記フレームを貫通する第一のネジ部材と、第二のネジ部材により前記ブラケットとともに前記フレームに固定される付勢部材とを有し、
前記第一のネジ部材と前記付勢部材とが互いに対向する位置で前記シャフトを支持する
請求項１に記載のピックアップモジュール。
【請求項６】
前記フレーム部材にはさらに前記ピックアップがデータの読み込みおよび書き込みを行うための開口部を有する保護カバーが取り付けられ、
前記保護カバーには前記第一のネジ部材の調整孔が設けられた
請求項５に記載のピックアップモジュール。
【請求項７】
前記ピックアップは他の電気基板と接続するためのフレキシブル基板を有し、
前記フレーム部材にはさらに前記ピックアップがデータの読み込みおよび書き込みを行うための開口部を有する保護カバーが複数のネジ部材により取り付けられ、
前記複数のネジ部材のうち少なくとも３つは前記開口部の同じ側で前記保護カバーを固定し、載置可能な最大ディスクの内周部・外周部・中周部にそれぞれ配置され、
前記フレキシブル基板の屈曲部が前記内周部に配置されたネジ部材と前記中周部に配置されたネジ部材との間で前記保護カバーの裏面に当接する
請求項１に記載のピックアップモジュール。
【請求項８】
前記内周部または中周部の少なくともいずれかのネジ部材は、前記保護カバーのうち前記フレキシブル基板の屈曲部による裏面への当接部分が光ディスク載置側へ変形可能となるよう取り付けられた
請求項７に記載のピックアップモジュール。
【請求項９】
光ディスクに対して半径方向に移動しながらデータの読み込みおよび書き込みを行うピックアップおよびそれを搬送するためのピックアップ搬送装置を有し、
前記ピックアップおよびピックアップ搬送装置を含む全ての構成部品を設置するためのフレーム部材を有し、
前記フレーム部材にはスピンドルモータが直接取り付けられ、
その他の部材は前記スピンドルモータと逆方向から取り付けられる構造を有する
ピックアップモジュール。
【請求項１０】
前記スピンドルモータは前記フレームのディスク載置側より取り付けられる構造を有する
請求項９に記載のピックアップモジュール。
【請求項１１】
前記フレーム部材は光ディスクの載置外位置であってかつ前記ピックアップが最外位置に来た時に少なくともその上面の一部を覆う光ディスク載置外部を備えた
請求項９に記載のピックアップモジュール。
【請求項１２】
前記ピックアップ上面の一部にはレンズを除くレンズホルダ上面の一部が含まれる
請求項１１に記載のピックアップモジュール。
【請求項１３】
前記フレーム部材には前記ピックアップを支持および搬送するためのシャフト部材が配置され、
前記シャフト部材の両端には前記シャフト部材を保持するためのブラケットを有し、
前記シャフト部材の少なくとも一方の端部近傍には、前記フレームを貫通する第一のネジ部材と、第二のネジ部材により前記ブラケットとともに前記フレームに固定される付勢部材とを有し、
前記第一のネジ部材と前記付勢部材とが互いに対向する位置で前記シャフトを支持する
請求項９に記載のピックアップモジュール。
【請求項１４】
前記フレーム部材にはさらに前記ピックアップがデータの読み込みおよび書き込みを行うための開口部を有する保護カバーが取り付けられ、
前記保護カバーには前記第一のネジ部材の調整孔が設けられた
請求項１３に記載のピックアップモジュール。
【請求項１５】
前記ピックアップは他の電気基板と接続するためのフレキシブル基板を有し、
前記フレーム部材にはさらに前記ピックアップがデータの読み込みおよび書き込みを行うための開口部を有する保護カバーが複数のネジ部材により取り付けられ、
前記複数のネジ部材のうち少なくとも３つは前記開口部の同じ側で前記保護カバーを固定し、載置可能な最大ディスクの内周部・外周部・中周部にそれぞれ配置され、
前記フレキシブル基板の屈曲部が前記内周部に配置されたネジ部材と前記中周部に配置されたネジ部材との間で前記保護カバーの裏面に当接する
請求項９に記載のピックアップモジュール。
【請求項１６】
前記内周部または中周部の少なくともいずれかのネジ部材は、前記保護カバーのうち前記フレキシブル基板の屈曲部による裏面への当接部分が光ディスク載置側へ変形可能となるよう取り付けられた
請求項１５に記載のピックアップモジュール。
【請求項１７】
光ディスクに対して半径方向に移動しながらデータの読み込みおよび書き込みを行うピックアップおよびそれを搬送するためのピックアップ搬送装置を有し、
前記ピックアップおよびピックアップ搬送装置を含む全ての構成部品を設置するためのフレーム部材を有し、
前記フレーム部材には前記ピックアップを支持および搬送するためのシャフト部材が設置され、
前記シャフト部材の両端には前記シャフト部材を保持するためのブラケットを有し、
前記シャフト部材の少なくとも一方の端部近傍には、前記フレームを貫通する第一のネジ部材と、第二のネジ部材により前記ブラケットとともに前記フレームに固定される付勢部材とを有し、
前記第一のネジ部材と前記付勢部材とが互いに対向する位置で前記シャフトを支持する
ピックアップモジュール。
【請求項１８】
前記フレーム部材にはさらに前記ピックアップがデータの読み込みおよび書き込みを行うための開口部を有する保護カバーが取り付けられ、
前記保護カバーには前記第一のネジ部材の調整孔が設けられた
請求項１７に記載のピックアップモジュール。
【請求項１９】
光ディスクに対して半径方向に移動しながらデータの読み込みおよび書き込みを行うピックアップおよびそれを搬送するためのピックアップ搬送装置を有し、
前記ピックアップおよびピックアップ搬送装置を含む全ての構成部品を設置するためのフレーム部材を有し、
前記ピックアップは他の電気基板と接続するためのフレキシブル基板を有し、
前記フレーム部材にはさらに前記ピックアップがデータの読み込みおよび書き込みを行うための開口部を有する保護カバーが複数のネジ部材により取り付けられ、
前記複数のネジ部材のうち少なくとも３つは前記開口部の同じ側で前記保護カバーを固定し、載置可能な最大ディスクの内周部・外周部・中周部にそれぞれ配置され、
前記フレキシブル基板の屈曲部が前記内周部に配置されたネジ部材と前記中周部に配置されたネジ部材との間で前記保護カバーの裏面に当接する
ピックアップモジュール。
【請求項２０】
前記内周部または中周部の少なくともいずれかのネジ部材は、前記保護カバーのうち前記フレキシブル基板の屈曲部による裏面への当接部分が光ディスク載置側へ変形可能となるよう取り付けられた
請求項１９に記載のピックアップモジュール。
【請求項２１】
前記請求項１、９、１７、１９のいずれかに記載のピックアップモジュールを有する光ディスク装置。
【発明の詳細な説明】
【技術分野】
【０００１】
この発明は、光ディスクを再生及び記録させる光ディスク装置のピックアップモジュールに関するものである。
【背景技術】
【０００２】
ＭＯ、ＰＤ、ＣＤ、ＣＤ−ＲＯＭ、ＣＤ−Ｒ、ＣＤ−ＲＷ、ＤＶＤ−ＲＯＭ、ＤＶＤ−ＲＡＭ、±ＲＷ、±Ｒ等の光ディスク媒体に対して、再生及び記録する装置としてＣＤ−ＲＯＭドライブ装置、ＰＤドライブ装置などのタイプが存在するが、本発明書においてはこれら全体を包括する表現として光ディスク装置と呼ぶ。
【０００３】
従来、光ディスク装置は、装置の小型化、薄型化が進み携帯型のパーソナルコンピュータ（以下、ＰＣと言う）に搭載されることがある。また、近年、さらに小型化、薄型化のノートブック型のＰＣに搭載されることも多くなっている。
【０００４】
これはコンピュータで使用するソフトウェアの大容量化、また雑誌媒体などから配布されるメディアとして安価であるＣＤ−ＲＯＭが多く採用されていることも要因の一つとなっている。それに伴い、光ディスクドライブのコンピュータへの搭載は必然となっているのが現状である。
【０００５】
上述、（特許文献１）に示されたような従来の光ディスク装置の一例を説明する。ノートブック型及び薄型デスクトップＰＣ（ディスプレイ本体一体型含む）に用いられる全高１２．７ｍｍの光ディスクドライブの構造について説明する。従来、以下の２つの方式が提案されている。
【０００６】
１つの方式としては、ユーザが自ら光ディスクを持ち、ピックアップの構成部品であるターンテーブルに直接光ディスクを取り付けた後に、ターンテーブルを含むトレイを自身の手によりドライブ筐体内部へ押し込むことで、光ディスクの再生、記録が可能状態となるドロア方式である。
【０００７】
また、他の方式としては、光ディスクを装置の前面まで運び、その光ディスクを装置の前面に設けられたフロントベゼルと呼ばれるカバーに設けられたスリットに挿入し、所定の位置まで装置内部に挿入すると、装置内部に設けられたローラ等の搬入機構により光ディスクを装置の内部すなわちターンテーブルまで自動的に吸い込んでいくスロットローディングと呼ばれる方式がある（例えば、特許文献１参照）。
【０００８】
市場においては圧倒的にドロアタイプが優位であり、その市場の殆どを占めている状態である。このドロア方式において、トレイと、光ディスク装置とＰＣを接続するための基板を電気的に接続する方法として、Ｕ字型のフレキシブル基板を用いている。
【０００９】
図８は従来のドロア方式のピックアップモジュールの分解斜視図である。図８において、１０１は光ディスクが回転可能に載置されるトレイである。１０２は光ディスクにレーザを照射し、反射した光を読みとることによりデータの読み込み及びデータの書き込みを行うピックアップ、１０３はピックアップ１０２を支持し、データの書き込み及び読み出しを行う際にピックアップ１０２を光ディスクの半径方向に対して搬送させるためのピックアップモジュール、１０４は光ディスクを回転させるためのスピンドルモータ、１０５は光ディスクを載置するためのターンテーブル、１０６はピックアップ１０２を搬送する際の駆動動力源となるモータ、１０７はフロントベゼル、１０８はトレイ１０１と後述のボトムカバー１１０を連結するレール、１０９は光ディスクを筐体から取り出す際にトレイ１０１を排出するためのプッシュ機構、１１０はトレイ１０１及び主基板１１３の基板を保持するボトムカバー、１１１は筐体への上方からの荷重等からドライブの保護を行うアッパーカバー、１１２はボトムカバー１１０に取り付けられ、レール１０８とトレイ１０１の摺動を円滑に行うための部材であるレールガイド、１１３はこの例においてはボトムカバー１１０に取り付けられる主基板、１１５は主基板１１３とトレイ１０１に取り付けられた光ディスクに記録された情報を読みとるためのピックアップモジュール１０３との電気的な接合を行うための副基板、１１４は副基板１１５と主基板１１３の電気的な接続を行うためのフレキシブル基板である。
【００１０】
図９は図８のピックアップモジュールの拡大図であり、図１０は図８のピックアップモジュールの裏面図である。図９及び図１０において、１３０は各部品を取り付けるためのベース、１１６はピックアップ等を保護する保護カバー、１１７はモータ１０６に電力を伝えるためのモータフレキシブル基板、１１８はスクリューシャフト１２１と噛み合うことによりピックアップ１０２を搬送するラック、１１９はピックアップ１０２を支持するためのメインシャフト、１２０は同じくピックアップ１０２を支持するためのサブシャフト、１２１はモータ１０６の回転動力をラック１１８と噛み合うことにより水平方向への動力に変換するスクリューシャフト、１２２はモータ１０６に取り付けられ、スクリューシャフト１２１に動力を伝達するためのピニオン、１２３は同じく動力を伝達するための中間ギヤ、１２４はスクリューシャフト１２１に取り付けられ、他と同様モータ１０６の動力を伝達するためのシャフトギヤである。１２５はピックアップ１０２に電気信号を伝達するためのレーザフレキシブル基板である。以上搬送機構の動力の流れを詳細に説明すると、フィードフレキシブル基板１２６を通してモータ１０６に伝達された電力はモータ１０６の回転動力となり、ピニオン１２２、中間ギヤ１２３およびシャフトギヤ１２４のギヤ列を通してスクリューシャフト１２１に伝達される。スクリューシャフト１２１の円筒面にはラック１１８に設けられた突起と噛み合う溝が設けられており、回転動力を水平方向への動力に変換することによりピックアップ１０２を光ディスクの半径方向に対して往復動作させることが出来る。
【特許文献１】特表２００２−５１１６２９号公報
【発明の開示】
【発明が解決しようとする課題】
【００１１】
現在、例えば携帯型するノートブック型コンピュータにおいて採用されているピックアップ搬送装置は、全高が１２．７ｍｍのものが多く採用されている。最近では更に携帯性を重視した薄型・軽量のノートブック型コンピュータに全高９．５ｍｍのものが採用され始めている。また、今後はノートブック型コンピュータの普及により一層の薄型化・軽量化が予想されるため、それに伴い、ピックアップモジュールにもさらなる薄型化・軽量化が要求されると思われる。
【００１２】
しかしながらドライブの多機能化により、光学基台及びそれを支持、搬送するピックアップモジュールの大型化が進んでおり、このままピックアップモジュールの薄型化・軽量化がさらに進むと、従来の構造をそのまま用いていたのではピックアップモジュールの剛性や強度を保つことが出来なくなる。その結果、メインシャフトやスクリューシャフトの平行度を確保出来なくなり、ピックアップの搬送精度が保てなくなってしまう。
【００１３】
本発明はこのような課題を解決するためになされたもので、従来の装置と比較して厚さを薄くでき、具体的には、９．５ｍｍ厚以下の全高とすることができ、かつ剛性や強度、ピックアップ搬送精度を保つことが出来るピックアップモジュールを提供することを目的とする。
【課題を解決するための手段】
【００１４】
本発明に係るピックアップモジュールは、上記目的を達成するために、光ディスクの載置外位置であってかつ前記ピックアップが最外位置に来た時に少なくともその一部の上面を覆う光ディスク載置外部を備えた、全ての構成部品を設置するためのフレーム部材を設けたものである。
【００１５】
また、そのフレーム部材にはスピンドルモータが直接取り付けられ、その他の部材は前記スピンドルモータと逆方向から取り付けられる構造を有する。
【００１６】
さらにそのフレーム部材には前記ピックアップを支持および搬送するためのシャフト部材が設置され、前記シャフト部材の両端には前記シャフト部材を保持するためのブラケットを有し、前記シャフト部材の少なくとも一方の端部近傍には、前記フレームを貫通する第一のネジ部材と、第二のネジ部材により前記ブラケットとともに前記フレームに固定される付勢部材とを有する。
【００１７】
またさらに、フレーム部材にはさらに前記ピックアップがデータの読み込みおよび書き込みを行うための開口部を有する保護カバーが複数のネジ部材により取り付けられ、前記複数のネジ部材のうち少なくとも３つは前記開口部の同じ側で前記保護カバーを固定し、前記３つのネジ部材は載置可能な最大ディスクの内周部・外周部・中周部それぞれ配置され、フレキシブル基板の屈曲部が内周部に配置されたネジ部材と中周部に配置されたネジ部材との間で保護カバーの裏面に当接している。
【００１８】
これらの構成により、メインシャフトやスクリューシャフトの平行度を確保出来、かつ剛性や強度、ピックアップ搬送精度を保つことが出来る。
【発明の効果】
【００１９】
本発明のフレーム部材、スピンドルモータ、シャフト部材、ブラケット、ネジ部材、付勢部材、保護カバーを有するピックアップモジュールによれば、メインシャフトやスクリューシャフトの平行度を確保出来、かつ剛性や強度、ピックアップ搬送精度を保つことが出来るので、従来のものより大幅に装置の厚さを薄くすることができ、具体的には、全高９．５ｍｍ厚以下のピックアップモジュールを実現することが出来る。
【発明を実施するための最良の形態】
【００２０】
本発明の請求項１のピックアップモジュールは、光ディスクに対して半径方向に移動しながらデータの読み込みおよび書き込みを行うピックアップおよびそれを搬送するためのピックアップ搬送装置を有し、そのピックアップおよびピックアップ搬送装置を含む全ての構成部品を設置するためのフレーム部材を有し、そのフレーム部材は光ディスクの載置外位置であってかつピックアップが最外位置に来た時に少なくともその上面の一部を覆う光ディスク載置外部とを備えている。
【００２１】
この構成により、光ディスク載置外部の面積方向の寸法を大きく取ることで、従来のピックアップモジュールと比較して光ディスク主面に垂直な方向に薄くすることができる。また、剛性や強度、メインシャフトやスクリューシャフトの平行度を確保出来るので、ピックアップ搬送精度を保つことが出来る。
【００２２】
また、ピックアップ上面の一部にはレンズを除くレンズホルダ上面の一部が含まれていてもよい。
【００２３】
これによりレンズ部分は保護カバーにより遮蔽されないので、ピックアップによるデータの読み込みや書き込みを妨げることなく、剛性や強度、ピックアップ搬送精度を保つことが出来るので、従来のものより大幅に装置の厚さを薄くすることができ、かつメインシャフトやスクリューシャフトの平行度を確保出来る。
【００２４】
また、フレーム部材にはスピンドルモータが直接取り付けられ、その他の部材はスピンドルモータと逆方向から取り付けられてもよい。
【００２５】
これによりベースフレームに取り付けられるスピンドルモータとそれ以外の部材の組立基準面が同一となるので、これらの部材における取り付け角度のバラツキの積算が小さくなり、いわゆるシャフトあおりによる調整可能範囲が小さくて済み、ピックアップモジュール全体の薄型化を実現することが出来る。
【００２６】
また、スピンドルモータはフレームのディスク載置側より取り付けられてもよい。
【００２７】
これによりモータベース部材の類が不要となるので、ピックアップモジュール全体の薄型化を実現することが出来る。
【００２８】
また、フレーム部材にはピックアップを支持および搬送するためのシャフト部材が配置され、シャフト部材の両端にはシャフト部材を保持するためのブラケットを有し、シャフト部材の少なくとも一方の端部近傍には、フレームを貫通する第一のネジ部材と、第二のネジ部材によりブラケットとともにフレームに固定される付勢部材とを有し、第一のネジ部材と付勢部材とが互いに対向する位置でシャフトを支持してもよい。
【００２９】
これによりたとえ周辺の雰囲気温度や湿度等の環境が変化しても、それらの要因によるブラケットの変形等は板ばねの付勢力で吸収され、その結果シャフト部材とフレーム部材との間の距離が一定に保たれるので、ピックアップ内のレンズホルダに設けられたレンズから出入射される光ビームが光ディスクの理想的な記録面に対し垂直に、かつピックアップが移動可能な水平方向のいずれの位置にあっても等距離で照射するよう維持することが出来、ピックアップ搬送精度を保つことが出来、光ディスクへのデータの書き込み及び光ディスクからの読み出しをより安定的に行うことが出来る。
【００３０】
また、フレーム部材にはさらにピックアップがデータの読み込みおよび書き込みを行うための開口部を有する保護カバーが取り付けられ、その保護カバーには第一のネジ部材の調整孔が設けられてもよい。
【００３１】
これによりピックアップモジュール単体のみならず、ピックアップモジュールがドライブ装置等の他の装置に組み込まれた後であっても、ベースフレームを貫通している第一のネジ部材をディスク載置側から調整することができるので、いわゆるシャフトあおり調整において他の装置への組み込み時に発生するピックアップモジュールの歪みを補正することが出来、光ディスクへのデータの書き込み及び光ディスクからの読み出しをさらにより安定的に行うことが出来る。
【００３２】
また、ピックアップは他の電気基板と接続するためのフレキシブル基板を有し、フレーム部材にはさらにピックアップがデータの読み込みおよび書き込みを行うための開口部を有する保護カバーが複数のネジ部材により取り付けられ、複数のネジ部材のうち少なくとも３つは開口部の同じ側で保護カバーを固定し、載置可能な最大ディスクの内周部・外周部・中周部にそれぞれ配置され、フレキシブル基板の屈曲部が内周部に配置されたネジ部材と中周部に配置されたネジ部材との間で保護カバーの裏面に当接するようにしてもよい。
【００３３】
これによりフレキシブル基板の屈曲部による折り曲げ反力を中周部のネジ部材よりも外周側に作用させず内周側に限定することが出来、特に光ディスク外周部における保護カバーの光ディスク記録面への接触を防止することが出来る。その結果、光ディスクへのデータの書き込み及び光ディスクからの読み出しをさらにより安定的に行うことが出来る。
【００３４】
また、内周部または中周部の少なくともいずれかのネジ部材は、保護カバーのうちフレキシブル基板の屈曲部による裏面への当接部分が光ディスク載置側へ変形可能となるよう取り付けられてもよい。
【００３５】
これによりフレキシブル基板の屈曲部による折り曲げ反力が軽減されるので、フレキシブル基板と保護カバーとの摩擦が軽減され、これら２つの部材の使用寿命をさらに伸ばすことが出来る。
【００３６】
本発明の請求項９のピックアップモジュールは、光ディスクに対して半径方向に移動しながらデータの読み込みおよび書き込みを行うピックアップおよびそれを搬送するためのピックアップ搬送装置を有し、ピックアップおよびピックアップ搬送装置を含む全ての構成部品を設置するためのフレーム部材を有し、フレーム部材にはスピンドルモータが直接取り付けられ、その他の部材はスピンドルモータと逆方向から取り付けられている。
【００３７】
この構成により、ベースフレームに取り付けられるスピンドルモータとそれ以外の部材の組立基準面が同一となるので、これらの部材における取り付け角度のバラツキの積算が小さくなり、いわゆるシャフトあおりによる調整可能範囲が小さくて済み、ピックアップモジュール全体の薄型化を実現することが出来る。
【００３８】
また、スピンドルモータはフレームのディスク載置側より取り付けられてもよい。
【００３９】
これによりモータベース部材の類が不要となるので、ピックアップモジュール全体の薄型化を実現することが出来る。
【００４０】
また、フレーム部材は光ディスクの載置外位置であってかつピックアップが最外位置に来た時に少なくともその上面の一部を覆う光ディスク載置外部とを備えていてもよい。
【００４１】
これにより光ディスク載置外部の面積方向の寸法を大きく取ることで、従来のピックアップモジュールと比較して光ディスク主面に垂直な方向に薄くすることができる。剛性や強度、ピックアップ搬送精度を保つことが出来るので、従来のものより大幅に装置の厚さを薄くすることができ、かつメインシャフトやスクリューシャフトの平行度を確保出来る。またこれにより、このピックアップモジュールを内蔵する光ディスク装置全体が薄くなる。
【００４２】
また、ピックアップ上面の一部にはレンズを除くレンズホルダ上面の一部が含まれていてもよい。
【００４３】
これによりレンズ部分は保護カバーにより遮蔽されないので、ピックアップによるデータの読み込みや書き込みを妨げることなく、剛性や強度、ピックアップ搬送精度を保つことが出来るので、従来のものより大幅に装置の厚さを薄くすることができ、かつメインシャフトやスクリューシャフトの平行度を確保出来る。
【００４４】
また、フレーム部材にはピックアップを支持および搬送するためのシャフト部材が配置され、シャフト部材の両端にはシャフト部材を保持するためのブラケットを有し、シャフト部材の少なくとも一方の端部近傍には、フレームを貫通する第一のネジ部材と、第二のネジ部材によりブラケットとともにフレームに固定される付勢部材とを有し、第一のネジ部材と付勢部材とが互いに対向する位置でシャフトを支持してもよい。
【００４５】
これによりたとえ周辺の雰囲気温度や湿度等の環境が変化しても、それらの要因によるブラケットの変形等は板ばねの付勢力で吸収され、その結果シャフト部材とフレーム部材との間の距離が一定に保たれるので、ピックアップ内のレンズホルダに設けられたレンズから出入射される光ビームが光ディスクの理想的な記録面に対し垂直に、かつピックアップが移動可能な水平方向のいずれの位置にあっても等距離で照射するよう維持することが出来、ピックアップ搬送精度を保つことが出来、光ディスクへのデータの書き込み及び光ディスクからの読み出しをより安定的に行うことが出来る。
【００４６】
また、フレーム部材にはさらにピックアップがデータの読み込みおよび書き込みを行うための開口部を有する保護カバーが取り付けられ、その保護カバーには第一のネジ部材の調整孔が設けられてもよい。
【００４７】
これによりピックアップモジュール単体のみならず、ピックアップモジュールがドライブ装置等の他の装置に組み込まれた後であっても、ベースフレームを貫通している第一のネジ部材をディスク載置側から調整することができるので、いわゆるシャフトあおり調整において他の装置への組み込み時に発生するピックアップモジュールの歪みを補正することが出来、光ディスクへのデータの書き込み及び光ディスクからの読み出しをさらにより安定的に行うことが出来る。
【００４８】
また、ピックアップは他の電気基板と接続するためのフレキシブル基板を有し、フレーム部材にはさらにピックアップがデータの読み込みおよび書き込みを行うための開口部を有する保護カバーが複数のネジ部材により取り付けられ、複数のネジ部材のうち少なくとも３つは開口部の同じ側で保護カバーを固定し、載置可能な最大ディスクの内周部・外周部・中周部にそれぞれ配置され、フレキシブル基板の屈曲部が内周部に配置されたネジ部材と中周部に配置されたネジ部材との間で保護カバーの裏面に当接するようにしてもよい。
【００４９】
これによりフレキシブル基板の屈曲部による折り曲げ反力を中周部のネジ部材よりも外周側に作用させず内周側に限定することが出来、特に光ディスク外周部における保護カバーの光ディスク記録面への接触を防止することが出来る。その結果、光ディスクへのデータの書き込み及び光ディスクからの読み出しをさらにより安定的に行うことが出来る。
【００５０】
また、内周部または中周部の少なくともいずれかのネジ部材は、保護カバーのうちフレキシブル基板の屈曲部による裏面への当接部分が光ディスク載置側へ変形可能となるよう取り付けられてもよい。
【００５１】
これによりフレキシブル基板の屈曲部による折り曲げ反力が軽減されるので、フレキシブル基板と保護カバーとの摩擦が軽減され、これら２つの部材の使用寿命をさらに伸ばすことが出来る。
【００５２】
本発明の請求項１７のピックアップモジュールは、光ディスクに対して半径方向に移動しながらデータの読み込みおよび書き込みを行うピックアップおよびそれを搬送するためのピックアップ搬送装置を有し、ピックアップおよびピックアップ搬送装置を含む全ての構成部品を設置するためのフレーム部材を有し、フレーム部材にはピックアップを支持および搬送するためのシャフト部材が配置され、シャフト部材の両端にはシャフト部材を保持するためのブラケットを有し、シャフト部材の少なくとも一方の端部近傍には、フレームを貫通する第一のネジ部材と、第二のネジ部材によりブラケットとともにフレームに固定される付勢部材とを有し、第一のネジ部材と付勢部材とが互いに対向する位置でシャフトを支持している。
【００５３】
この構成により、たとえ周辺の雰囲気温度や湿度等の環境が変化しても、それらの要因によるブラケットの変形等は板ばねの付勢力で吸収され、その結果シャフト部材とフレーム部材との間の距離が一定に保たれるので、ピックアップ内のレンズホルダに設けられたレンズから出入射される光ビームが光ディスクの理想的な記録面に対し垂直に、かつピックアップが移動可能な水平方向のいずれの位置にあっても等距離で照射するよう維持することが出来、ピックアップ搬送精度を保つことが出来、光ディスクへのデータの書き込み及び光ディスクからの読み出しをより安定的に行うことが出来る。
【００５４】
また、フレーム部材にはさらにピックアップがデータの読み込みおよび書き込みを行うための開口部を有する保護カバーが取り付けられ、その保護カバーには第一のネジ部材の調整孔が設けられてもよい。
【００５５】
これによりピックアップモジュール単体のみならず、ピックアップモジュールがドライブ装置等の他の装置に組み込まれた後であっても、ベースフレームを貫通している第一のネジ部材をディスク載置側から調整することができるので、いわゆるシャフトあおり調整において他の装置への組み込み時に発生するピックアップモジュールの歪みを補正することが出来、光ディスクへのデータの書き込み及び光ディスクからの読み出しをさらにより安定的に行うことが出来る。
【００５６】
本発明の請求項１９のピックアップモジュールは、光ディスクに対して半径方向に移動しながらデータの読み込みおよび書き込みを行うピックアップおよびそれを搬送するためのピックアップ搬送装置を有し、ピックアップおよびピックアップ搬送装置を含む全ての構成部品を設置するためのフレーム部材を有し、ピックアップは他の電気基板と接続するためのフレキシブル基板を有し、フレーム部材にはさらにピックアップがデータの読み込みおよび書き込みを行うための開口部を有する保護カバーが複数のネジ部材により取り付けられ、複数のネジ部材のうち少なくとも３つは開口部の同じ側で保護カバーを固定し、載置可能な最大ディスクの内周部・外周部・中周部にそれぞれ配置され、フレキシブル基板の屈曲部が内周部に配置されたネジ部材と中周部に配置されたネジ部材との間で保護カバーの裏面に当接するようにしている。
【００５７】
この構成により、フレキシブル基板の屈曲部による折り曲げ反力を中周部のネジ部材よりも外周側に作用させず内周側に限定することが出来、特に光ディスク外周部における保護カバーの光ディスク記録面への接触を防止することが出来る。その結果、光ディスクへのデータの書き込み及び光ディスクからの読み出しをさらにより安定的に行うことが出来る。
【００５８】
また、内周部または中周部の少なくともいずれかのネジ部材は、保護カバーのうちフレキシブル基板の屈曲部による裏面への当接部分が光ディスク載置側へ変形可能となるよう取り付けられてもよい。
【００５９】
これによりフレキシブル基板の屈曲部による折り曲げ反力が軽減されるので、フレキシブル基板と保護カバーとの摩擦が軽減され、これら２つの部材の使用寿命をさらに伸ばすことが出来る。
【００６０】
本発明の請求項２１の光ディスク装置は、請求項１、９、１７、１９のいずれかに記載のピックアップモジュールを有する。
【００６１】
この構成により、光ディスク装置全体が光ディスク主面に垂直な方向に薄くなり、かつその剛性や強度が確保され、光ディスクへのデータの書き込み及び光ディスクからの読み出しが安定的に行われる。
【００６２】
以下、本発明を実施するための最良の形態を、図面を参照しつつ更に具体的に説明する。ここでの説明は本発明が実施される最良の形態であることから、本発明は当該形態に限定される物ではない。
【００６３】
以下、本発明の実施の形態について、図を用いて説明する。
【００６４】
（実施の形態１）
図１は本実施の形態１におけるピックアップモジュール全体の斜視図、図２は図１のピックアップモジュール全体を裏面側から見た斜視図である。図１および図２において、１はピックアップモジュールの構成部品を取り付け及び指示する部分であるベースフレーム、２はピックアップ５やレーザフレキシブル基板９等を外乱から保護するための保護カバー、３は図示しない光ディスクを回転させるためのスピンドルモータ、４はスピンドルモータ３の一部であり光ディスクを載置する部分であるターンテーブル、５は光ディスクに対しデータを読み込み／書き込みを行うピックアップ、６はピックアップ５を光ディスクの半径方向に対し搬送するための駆動動力源であるモータ、７はピックアップ５を支持するメインシャフト、８は同じくピックアップ５を支持するサブシャフト、１０は直線上の棒の側面に螺旋状に溝が設けられており、ラック１１に設けられた山の部分と噛み合うことにより、ラック１１が取り付けられたピックアップ５を光ディスクの半径方向に対して搬送するためのスクリューシャフト、１１は前記説明のラックである。なお、５ａはピックアップ５に設けられたレンズホルダで、光ディスクに対しデータを読み込み／書き込みを行うための光ビームを入出射するレンズ５ｂを保持する。
【００６５】
本実施の形態１において、ベースフレーム１には光ディスク載置外部１ａが設けられている。従来の厚みを有するピックアップモジュールであれば高さ方向に余裕があるため、ベースフレームの周囲に設けられた外枠部により、ベースフレーム自体の強度を確保することが出来た。また、レンズホルダも高さ方向の寸法により強度を確保することが出来た。しかしながら本実施の形態のように高さ方向の寸法が取れない場合、高さ方向とは垂直となる面積方向の寸法を従来よりもさらに大きく取る必要がある。そのため、レンズホルダ５ａの強度を確保するためにその面積方向の寸法を従来よりも出来るだけ大きく取り、ベースフレーム１の強度を確保するために光ディスク載置外部１ａが設けられている。その結果図３に示すように、レンズホルダ５ａが最外位置に来た時にはその一部の上面を覆うように光ディスク載置外部１ａが設けられている。
【００６６】
但し、レンズホルダ５ａが最外位置に来た場合であっても、ピックアップ５は光ディスク上のデータの読み込みおよび書き込みが可能でなければならない。従ってレンズホルダ５ａが最外位置に来た場合に、光ディスク載置外部１ａはレンズ５ｂを除くレンズホルダ５ａの上面の一部を覆うように、かつ面積方向の寸法を出来るだけ大きく確保出来るよう設けられている。
【００６７】
次に、本実施の形態１のベースフレーム１には保護カバー２が複数のネジ部材２ａ〜２ｅにより固定されている。保護カバー２はピックアップ５がデータの読み込みおよび書き込みを行うための開口部を有する。
【００６８】
複数のネジ部材２ａ〜２ｅのうち少なくとも３つ、すなわち本実施の形態１におけるネジ部材２ａ〜２ｃは前記開口部の同じ側で前記保護カバー２を固定している。これら３つのネジ部材２ａ〜２ｃはそれぞれ、載置可能な最大ディスクの内周部（ネジ部材２ｂ）・外縁部（ネジ部材２ｃ）・中周部に配置されている。
【００６９】
図４は本実施の形態１における別のピックアップモジュールを裏面側から見た斜視図である。図１〜図３に示すピックアップモジュールとの主な相違はスピンドルモータ３ａのみである。すなわち、図１〜図３に示すピックアップモジュールにおいてはベースフレーム１のディスク載置側からスピンドルモータ３が取り付けられるのに対し、図４のピックアップモジュールにおけるスピンドルモータ３ａはあらかじめ底面にモータベース部材が取り付けられ、そのモータベース部材をベースフレーム１に対してネジ止め等で固定することにより、ベースフレーム１のディスク載置面の裏側から取り付けられる。
【００７０】
９はピックアップ５の信号を図示しない光ディスク装置に設けられた電気基板に伝達するためのレーザフレキシブル基板、１４はモータ６等に電力を供給するためのモータフレキシブル基板である。レーザフレキシブル基板９の片方の端部はピックアップ５に接続されている。その屈曲部９ａは、本実施の形態のピックアップモジュールが光ディスク装置に取り付けられた状態において載置可能な最大ディスクの内周部から中周部付近に来るようになっており、ピックアップ５の載置可能な最大ディスクの内周部−外周部間における移動に伴い、内周部−中周部間を移動する。すなわち、図４における載置可能な最大ディスクの内周部にあるネジ部材２ｂと中周部にあるネジ部材２ａとの間を、レーザフレキシブル基板９の屈曲部９ａは移動する。図１および図２には図示していないが、図４と同様の構成を有するレーザフレキシブル基板を図１および図２に示すピックアップモジュールも有している。
【００７１】
このようなレーザフレキシブル基板を有する場合、図１〜図３における保護カバー２のネジ部材２ｂとネジ部材２ａとの間には、レーザフレキシブル基板の屈曲部による折り曲げ反力がかかる。開口部を有する保護カバー２をベースフレーム１に固定するためには最低でもネジ部材２ｂ〜２ｅの４箇所が必要であるが、もし載置可能な最大ディスクの中周部にあるネジ部材２ａが無ければ、レーザフレキシブル基板の屈曲部による折り曲げ反力がネジ部材２ｂとネジ部材２ｃとの間全体に作用し、保護カバー２のネジ部材２ｂとネジ部材２ｃとの間の部分が浮き上がり、その上部に載置する光ディスクの記録面に接触し傷つける可能性がある。特に光ディスクが反りを有する場合には外周部に行くほど反りが大きく、保護カバーとの距離が近くなるので、接触や傷つきの可能性が高くなる。
【００７２】
そこでネジ部材２ｂとネジ部材２ｃとの間で別のネジ部材により保護カバー２を固定すればレーザフレキシブル基板９の屈曲部９ａによる折り曲げ反力で保護カバー２が光ディスク記録面に接触し傷つけるのを防ぐことが可能である。しかし、組立工数をなるべく増やさないよう少ないネジ部材の追加で保護カバー２の光ディスクへの接触防止効果を得るためには、図４に示すように、載置可能な最大ディスクの中周部でかつレーザフレキシブル基板屈曲部の移動範囲両端を内周部のネジ部材２ｂと共に挟み込むようにネジ部材２ａを１つ追加することが最も効果的である。
【００７３】
その理由は以下のとおりである。光ディスクに反りがある場合、その内周部は外周部と比較して反りの程度が小さく、ネジ部材２ｂとネジ部材２ａとの間の部分、すなわち光ディスクの載置内周部には、保護カバー２の光ディスク載置部２ｆよりも上部にあるターンテーブル４があるため、光ディスクからのクリアランスを確保しやすい。つまり、保護カバー２が上部に浮き上がったとしても、光ディスク載置部の内周部は外周部と比較して光ディスクの記録面に接触しにくい。よって、ネジ部材２ｂとネジ部材２ｃとの間に載置可能な最大ディスクの中周部でかつレーザフレキシブル基板屈曲部の移動範囲両端を内周部のネジ部材２ｂと共に挟み込むようにネジ部材２ａを１つ追加することにより、レーザフレキシブル基板９の屈曲部９ａの移動範囲をネジ部材２ｂとネジ部材２ａとの間とすることで、屈曲部９ａによる折り曲げ反力をネジ部材２ａよりも外周側に作用させず、載置可能な最大ディスクの中周部よりも内周側に限定することが出来、特に光ディスク外周部における保護カバー２の光ディスク記録面への接触を防止することが出来る。
【００７４】
なお、内周部にあるネジ部材２ｂまたは中周部にあるネジ部材２ａの少なくともいずれかをベースフレーム１に対して完全固定せず、保護カバー２のネジ部材２ｂとネジ部材２ａとの間の部分がレーザフレキシブル基板９の屈曲部９ａの折り曲げ反力により浮き上がる構造としてもよい。これにより、レーザフレキシブル基板９の屈曲部９ａによる折り曲げ反力をネジ部材２ｂとネジ部材２ａとの間の部分に限定できることに加え、その折り曲げ反力が軽減されるので、レーザフレキシブル基板９と保護カバー２との摩擦が軽減され、これら２つの部材の使用寿命をさらに伸ばすことが出来る。
【００７５】
図５は図１のピックアップモジュール全体の分解斜視図、図６は図５のピックアップモジュールを裏面側から見た分解斜視図である。図５および図６に示すように、スピンドルモータ３はベースフレーム１に直接取り付けられ、図１および図２のような状態に一体化される。
【００７６】
従来のピックアップモジュールのようにモジュールの高さ方向に余裕がある場合は、スピンドルモータ（例えば図１０における１０４）の下部にモータベース部材（例えば図１０における１０４ａ）をあらかじめネジ部材等で取り付け、そのモータベース部材をさらにベースフレーム（例えば図１０における１１５）にネジ部材等で固定することにより、スピンドルモータのベースフレームへの取り付けを間接的に行っていた。その場合、モータベース部材が取り付けられたスピンドルモータはベースフレームに取り付けられる他の部材と同じ方向から挿入載置して取り付けることが出来、組立工数が少なくて済む、という利点がある。
【００７７】
しかしながらこのような従来の構成および取り付け方法ではモータベース部材の厚みが追加されてしまうので、スピンドルモータ上にあるターンテーブルとベースフレーム上の光ディスク載置部との間の高さを押さえることが出来ない。
【００７８】
それに加えて上記の構成および取り付け方法では、組立基準面が二重に存在している。すなわち、スピンドルモータの組立基準面はモータベース部材であり、その他の部材の組立基準面はベースフレームである。この場合、モータベース部材の厚みのバラツキや、スピンドルモータのモータベース部材への取り付け角度のバラツキ、モータベース部材のベースフレームへの取り付け角度のバラツキ等が積算される。ピックアップ（例えば図９における１０２）内のレンズホルダ（例えば図９における１０２ａ）に設けられたレンズ（例えば図９における１０２ｂ）から出入射される光ビームは、スピンドルモータ上のターンテーブル（例えば図８、図９における１０５）に載置される図示しない光ディスクの理想的な記録面に対し垂直に、かつピックアップが移動可能な水平方向のいずれの位置にあっても等距離で照射されなければならないが、上記バラツキの積算によりそれらが保たれなくなる。これらを補正するために、ピックアップを支持・搬送するメインシャフト両端やスクリューシャフト両端のベースフレームからの取り付け高さを調整（いわゆる「シャフトあおり」）を行う。
【００７９】
しかしながら、ピックアップモジュールの薄型化・軽量化がさらに進むと、上記のいわゆるシャフトあおりによる調整可能範囲が小さくなってしまい、そのため上記バラツキの積算を吸収することが出来ず、ピックアップ内のレンズホルダに設けられたレンズから出入射される光ビームが光ディスクの理想的な記録面に対し垂直に、かつピックアップが移動可能な水平方向のいずれの位置にあっても等距離で照射出来なくなってしまう。
【００８０】
よって本実施の形態１では上記のモータベース部材の類は用いずに、図５に示すように、ベースフレーム１にはスピンドルモータ取付凹部１ｂが設けられ、そのスピンドルモータ取付凹部１ｂにはスピンドルモータ３が直接取り付けられ、さらにそのスピンドルモータ３とその他の部材とは互いに逆方向から取り付けられるように構成されている。それらを固定するネジ部材等はいずれもスピンドルモータ３以外の部材の取り付け方向と同じ方向から挿入される。このような構成によりモータベース部材の類が不要となるので、ピックアップモジュール全体の薄型化を実現することが出来る。また、ベースフレーム１に取り付けられるスピンドルモータ３とそれ以外の部材の組立基準面が同一となるので、これらの部材における取り付け角度のバラツキの積算が小さくなり、いわゆるシャフトあおりによる調整可能範囲が小さくて済み、ピックアップモジュール全体の薄型化を実現することが出来る。
【００８１】
また、既に述べたように、ベースフレーム１に対してスピンドルモータ３以外の部材はスピンドルモータ３と逆の方向から取り付けられる。スピンドルモータ３以外の部材の中にはピックアップ５を支持および搬送するためのシャフト部材、すなわち本実施の形態１においてはメインシャフト７、サブシャフト８、スクリューシャフト１０も含まれている。これらのシャフト部材には剛性を確保するために、一般には金属が用いられる。
【００８２】
メインシャフト７およびスクリューシャフト１０の両端はブラケット１５ａおよび１５ｂによりベースフレーム１に固定され、サブシャフト８の両端はブラケット１５ｃおよび１５ｄによりベースフレーム１に固定されている。これらのブラケット１５ａ〜１５ｄには複数のボスが設けられ、ベースフレーム１上に設けられたボス孔により取り付け位置が規制されている。ブラケット１５ａ〜１５ｄはメインシャフト７、サブシャフト８、スクリューシャフト１０のピックアップ搬送方向の位置を規制する役割を有している。また、これらのブラケット１５ａ〜１５ｄには金属製のメインシャフト７、サブシャフト８、スクリューシャフト１０との摺動性を確保するために、一般には樹脂が用いられる。
【００８３】
上記３つのシャフト部材のうち、メインシャフト７の一方の端部近傍とサブシャフト８の両方の端部近傍には、ベースフレーム１を貫通するネジ部材と、それとは別のネジ部材によりブラケットとともにベースフレーム１に固定される付勢部材とが設けられており、ベースフレーム１を貫通するネジ部材と付勢部材とが互いに対向する位置でこれらのシャフトをメインシャフト７の一方の端部近傍およびサブシャフト８の両端部近傍で支持している。なお、ピックアップ５の電気的接地を確保するために、本実施の形態１における上記ベースフレーム１を貫通するネジ部材と付勢部材には金属材が用いられる。
【００８４】
図７は図２および図６におけるメインシャフト７の端部７ａとその周辺部の拡大断面図である。すなわち、ブラケット１５ａの内部であり、メインシャフト７の端部７ａを収納しているシャフト端部収納部１８ａにおいて、ベースフレーム１を貫通するネジ部材２ｋと、それとは別のネジ部材１６ａによりブラケット１５ａとともにベースフレーム１に固定される付勢部材１７ａとがピックアップ搬送方向と垂直方向において互いに対向する位置に設けられてメインシャフト７を支持している。
【００８５】
サブシャフト８の両端部近傍およびその周辺部も図７と類似した構成を有している。すなわち、ブラケット１５ｃの内部においてはベースフレーム１を貫通するネジ部材２ｇと、それとは別のネジ部材１６ｃによりブラケット１５ｃとともにベースフレーム１に固定される付勢部材１７ｃとが、ピックアップ搬送方向と垂直方向において互いに対向する位置に設けられてサブシャフト８を支持し、ブラケット１５ｄの内部においてはベースフレーム１を貫通するネジ部材２ｈと、それとは別のネジ部材１６ｄによりブラケット１５ｄとともにベースフレーム１に固定される付勢部材１７ｄとが、ピックアップ搬送方向と垂直方向において互いに対向する位置に設けられてサブシャフト８を支持している。
【００８６】
ブラケット１５ａ〜１５ｄは金属製のメインシャフト７、サブシャフト８、スクリューシャフト１０との摺動性を確保するために樹脂で構成されているが、周辺の雰囲気温度や湿度等の環境が変化すると、その変形度合いは金属製のシャフト部材７、８、１０やベースフレーム１よりも格段に大きい。本実施の形態１のような構成を有することにより、ブラケット１５ａ〜１５ｄの変形を付勢部材１７ａ、１７ｃ、１７ｄで吸収することが出来る。例えば図７で説明すると、ブラケット１５ａが変形すればシャフト端部収納部１８ａの孔径や付勢部材１７ａのネジ部材１６ａによる取り付け部におけるベースフレーム１からの高さや位置は変動する。
【００８７】
しかしながらメインシャフト７自体はその端部７ａを収納しているシャフト端部収納部１８ａにおいて、ネジ部材２ｋと付勢部材１７ａのメインシャフト７への当接部のみにより支持されているため、メインシャフト７とベースフレーム１との間の距離は一定に保たれ、シャフト端部収納部１８ａの孔径の変動には影響されない。また、付勢部材１７ａのネジ部材１６ａによる取り付け部におけるベースフレーム１からの高さや位置の変動については付勢部材１７ａの有する付勢力がそれらの変動を吸収するので、やはりメインシャフト７とベースフレーム１との間の距離は一定に保たれる。
【００８８】
このように図７に示す構成を有することでたとえ周辺の雰囲気温度や湿度等の環境が変化してもシャフト部材とフレーム部材との間の距離が一定に保たれるので、ピックアップ内のレンズホルダに設けられたレンズから出入射される光ビームが光ディスクの理想的な記録面に対し垂直に、かつピックアップが移動可能な水平方向のいずれの位置にあっても等距離で照射するよう維持することが出来、ピックアップ搬送精度を保つことが出来、光ディスクへのデータの書き込み及び光ディスクからの読み出しをより安定的に行うことが出来る。
【００８９】
また、保護カバーにはベースフレーム１を貫通しているネジ部材２ｇ、２ｈ、２ｋをディスク載置側から調整することができるように調整孔が設けられている。これにより本実施の形態１のピックアップモジュール単体のみならず、ピックアップモジュールがドライブ装置等の他の装置に組み込まれた後であっても、いわゆるシャフトあおり調整において他の装置への組み込み時に発生するピックアップモジュールの歪みを補正することが出来、光ディスクへのデータの書き込み及び光ディスクからの読み出しをさらにより安定的に行うことが出来る。ピックアップモジュールを薄型化する場合にはモジュール自体の強度が不足しがちなので、ピックアップモジュールはドライブ装置等の他の装置に組み込まれた後においても歪みを発生しやすくなる。ドライブ装置等の他の装置に組み込まれた後であってもピックアップモジュールを調整可能な構成を有することはピックアップモジュールの薄型化において特に重要である。
【００９０】
なお、本実施の形態１においては図７のような構成を上記３箇所のみに用いているが、本発明は特にこれらに限定されるものではなく、例えばスクリューシャフト等にも採用しても良いし、ピックアップに関係する全てのシャフト部材の端部に採用しても良い。
【００９１】
以上のように本実施の形態１によれば、上記の構成によりメインシャフトやスクリューシャフトの平行度を確保出来、剛性や強度、ピックアップ搬送精度を保つことが出来るので、従来のものより大幅に装置の厚さを薄くすることができ、具体的には、全高９．５ｍｍ厚以下のピックアップモジュールを実現することが出来る。
【産業上の利用可能性】
【００９２】
本発明のピックアップ搬送装置は、薄型化が要求される光ディスク装置等の用途にも適用できる。
【図面の簡単な説明】
【００９３】
【図１】実施の形態１におけるピックアップモジュール全体の斜視図
【図２】図１のピックアップモジュールを裏面側から見た斜視図
【図３】図１のピックアップモジュールにおいてレンズホルダが最外位置に来た場合の斜視図
【図４】本実施の形態１における別のピックアップモジュールを裏面側から見た斜視図
【図５】図１のピックアップモジュール全体の分解斜視図
【図６】図５のピックアップモジュールを裏面側から見た分解斜視図
【図７】図２および図６におけるメインシャフトの端部とその周辺部の拡大断面図
【図８】従来のドロア方式のピックアップモジュールの分解斜視図
【図９】図８のピックアップモジュールの拡大図
【図１０】図８のピックアップモジュールの裏面図
【符号の説明】
【００９４】
１    ベースフレーム
２    保護カバー
３、３ａ    スピンドルモータ
４    ターンテーブル
５    ピックアップ
６    モータ
７    メインシャフト
８    サブシャフト
９    レーザフレキシブル基板
１０    スクリューシャフト
１１    ラック
１４    モータフレキシブル基板
１５ａ、１５ｂ、１５ｃ、１５ｄ    ブラケット
１６ａ、１６ｃ、１６ｄ    ネジ部材
１７ａ、１７ｃ、１７ｄ    付勢部材
１８ａ    シャフト端部収納部
【図１】
2007265560.tif 000003
【図２】
2007265560.tif 000004
【図３】
2007265560.tif 000005
【図４】
2007265560.tif 000006
【図５】
2007265560.tif 000007
【図６】
2007265560.tif 000008
【図７】
2007265560.tif 000009
【図８】
2007265560.tif 000010
【図９】
2007265560.tif 000011
【図１０】
2007265560.tif 000012